(57)【要約】【課題】  通気上の負荷を上げることなく、サイクロンのダストボックス自体の塵挨に対する補集効率を上げることができる電気掃除機を提供する。【解決手段】  ダストボックス２のサイクロン容器７の下面には、静電気発生手段の収納室１０の電動機１１に駆動軸１３で連結された静電気発生部材の毛皮１２が設けられている。電気掃除機が運転されると同時に電動機１１を回転させて、摩擦により、ダストボックス２のサイクロン容器７の底面９に静電気を発生させる。ホース６から吸引されてきたゴミ、塵挨は、ダストボックス２のサイクロン容器７のサイクロン筒８の周りを旋回し、それ自身の重さで下面に溜まろうとするが、前記のサイクロン容器７の底面９に発生した静電気によって、より強力に下面に引きつけられる。【選択図】      図１
2006230819.tif 000002
【特許請求の範囲】
【請求項１】
本体ケース内にダストボックス、電動送風機収納室を有し、ダストボックスに吸い取った塵挨と空気をサイクロン方式で分離する電気掃除機において、前記ダストボックスの下部には静電気発生手段の収納室が設けられ、ゴミ、塵埃の溜まる前記ダストボックスに静電気発生手段により静電気を起こして帯電させ、その静電気の引力を利用して、前記ダストボックス内に溜まったゴミ、塵挨を、ダストボックス内に留めるようにしたことを特徴とする電気掃除機。
【請求項２】
前記ダストボックスにサイクロン容器とサイクロン筒を設け、前記静電気発生手段は、電動機と該電動機で駆動される静電気発生部材とから構成され、該静電気発生部材の回転摩擦により前記サイクロン容器の底部に静電気を発生させるようにしたことを特徴とする請求項１に記載の電気掃除機。
【請求項３】
前記サイクロン筒の下部に傘部を設け、かつサイクロン筒の側面に通気孔を設けたことを特徴とする請求項１又は請求項２に記載の電気掃除機。
【請求項４】
前記サイクロン筒の下部に傘部を設け、かつサイクロン筒の側面に通気孔を設け、前記サイクロン容器の底部の一部を凸形状にし、該凸形状部内に静電気発生部材を挿入し、該静電気発生部材の回転摩擦により前記凸形状部の周囲に静電気を発生させるようにしたことを特徴とする請求項３に記載の電気掃除機。
【請求項５】
前記ダストボックスにサイクロン容器とサイクロン筒を設け、前記静電気発生手段は、風車と該風車で駆動される静電気発生部材とから構成され、電動送風機の排気の全部または一部を該風車に導く風路が形成され、排気により該風車を回転させ、該静電気発生部材の回転摩擦により前記サイクロン容器の底部に静電気を発生させるようにしたことを特徴とする請求項１に記載の電気掃除機。
【請求項６】
前記ダストボックスにサイクロン容器とサイクロン筒を設け、前記サイクロン筒の下部に傘部を設け、かつサイクロン筒の側面に通気孔を設け、前記静電気発生手段は、風車と該風車で駆動される静電気発生部材とから構成され、電動送風機の排気の全部または一部を該風車に導く風路が形成され、排気により該風車を回転させ、該静電気発生部材の回転摩擦により前記サイクロン容器に静電気を発生させるようにしたことを特徴とする請求項１に記載の電気掃除機。
【請求項７】
前記サイクロン筒の下部に傘部を設け、かつサイクロン筒の側面に通気孔を設け、前記サイクロン容器の底部の一部を凸形状にし、該凸形状部内に静電気発生部材を挿入し、該静電気発生部材の回転摩擦により前記凸形状部の周囲に静電気を発生させることを特徴とする請求項６に記載の電気掃除機。
【請求項８】
前記ダストボックスにサイクロン容器とサイクロン筒を設け、前記サイクロン筒の下部に傘部を設け、かつサイクロン筒の側面に通気孔を設け、前記サイクロン容器の底部の一部を凸形状にし、前記静電気発生手段は、該凸形状部内に挿入され、本体ケースの前輪の回転で駆動される静電気発生部材から構成され、該前輪の回動による該静電気発生部材の回転摩擦により前記凸形状部の周囲に静電気を発生させるようにしたことを特徴とする請求項１に記載の電気掃除機。
【請求項９】
前記ダストボックスのサイクロン容器はアクリルまたはスチロールで構成され、前記静電気発生部材は毛皮であることを特徴とする請求項１乃至請求項８に記載の電気掃除機。
【発明の詳細な説明】
【技術分野】
【０００１】
本発明は電気掃除機、特にサイクロン方式の電気掃除機に関する。
【背景技術】
【０００２】
遠心力でダストボックスにゴミを集めるサイクロン方式は、従前の紙パック式が紙繊維にゴミが目詰りするにつれて吸引力が落ちるのに対して、ゴミを遠心力により吸気の通り道の外に集めるため吸引力が落ちないという特徴がある。
【０００３】
従来のサイクロン方式の電気掃除機では、基本的には、サイクロンの旋回流によって発生する遠心力によって、吸込んだゴミ、塵埃と空気を分離して、ゴミ、塵埃は掃除機のダストカップ内に、空気は掃除機から外に排出している（例えば、特許文献１参照）。
【０００４】
【特許文献１】特開２００３−１８０５６９号公報
【発明の開示】
【発明が解決しようとする課題】
【０００５】
従来のサイクロン方式の電気掃除機では、サイクロンの旋回流による遠心力だけでは高い分離率が得られないため、サイクロンのダストカップとモータの流路の間にウレタンフィルターや不織布フィルターを設けて、塵挨がモ−タに行かないようにしているが、特性的にみると、かかるフィルターは通気上では負荷となるため、特性ダウンとなる問題があった。また、塵埃は前記フィルターによって保持されるため、フィルターの目詰まりを頻繁に引き起こし、メンテナンス上でも問題があった。そこで、本発明は、サイクロン集塵方式の電気掃除機において、通気上の負荷を上げることなく、サイクロンのダストカップ自体の塵挨に対する補集効率を上げることができる電気掃除機を提供することを目的とする。
【課題を解決するための手段】
【０００６】
上記課題を解決するために、本発明の請求項１に係る電気掃除機は、本体ケース内にダストボックス、電動送風機収納室を有し、ダストボックスに吸い取った塵挨と空気をサイクロン方式で分離する電気掃除機において、前記ダストボックスの下部には静電気発生手段の収納室が設けられ、ゴミ、塵埃の溜まる前記ダストボックスに静電気発生手段により静電気を起こして帯電させ、その静電気の引力を利用して、前記ダストボックス内に溜まったゴミ、塵挨を、ダストボックス内に留めるように構成した。
【０００７】
本発明の請求項２に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、ダストボックスの下部には静電気発生手段の収納室が設けられ、静電気発生手段は電動機と該電動機で駆動される静電気発生部材とから構成され、ゴミ、塵埃の溜まる前記サイクロン容器に、該静電気発生部材の回転摩擦により前記サイクロン容器の底部に静電気を発生させるようにした静電気発生手段により静電気を起こして帯電させ、その静電気の引力を利用して、前記サイクロン容器内に溜まったゴミ、塵挨を、サイクロン容器内に留めるように構成した。
【０００８】
こうして、ゴミ、塵埃の溜まるダストボックスのサイクロン容器の底面に摩擦による静電気を起こして帯電させ、その静電気の物を引き寄せる力を利用して、ダストボックス内に溜まったゴミ、塵埃をダストボックス内に留めようとするという簡単な構成で、塵埃に対するダストボックスの補集効率を上げることができる。
【０００９】
本発明の請求項３に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、前記サイクロン筒の下部に傘部を設け、かつサイクロン筒の側面に通気孔を設け、ダストボックスの下部には静電気発生手段の収納室が設けられ、静電気発生手段は電動機と該電動機で駆動される静電気発生部材とから構成され、ゴミ、塵埃の溜まる前記サイクロン容器に、該静電気発生部材の回転摩擦により前記サイクロン容器の底部に静電気を発生させるようにした静電気発生手段により静電気を起こして帯電させ、その静電気の引力を利用して、前記サイクロン容器内に溜まったゴミ、塵挨を、サイクロン容器内に留めるように構成した。
【００１０】
こうして、ゴミ、塵埃はサイクロン筒の下部に設けられた傘部により下方に押さえられ、前記のサイクロン容器の底面に発生した静電気によって、より強力に下面に引きつけられるようになり、ダストボックス内に溜まったゴミ、塵埃をダストボックス内に留めることができ、塵埃に対するダストボックスの補集効率を上げることができる。
【００１１】
本発明の請求項４に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、前記サイクロン筒の下部に傘部を設け、かつサイクロン筒の側面に通気孔を設け、前記サイクロン容器の底部の一部を凸形状にし、該凸形状部内に静電気発生部材を挿入し、ダストボックスの下部には静電気発生手段の収納室が設けられ、静電気発生手段は電動機と該電動機で駆動される静電気発生部材とから構成され、ゴミ、塵埃の溜まる前記サイクロン容器に、該静電気発生部材の回転摩擦により前記凸形状部の周囲にに静電気を発生させるようにした静電気発生手段により静電気を起こして帯電させ、その静電気の引力を利用して、前記サイクロン容器内に溜まったゴミ、塵挨を、サイクロン容器内に留めるように構成した。
【００１２】
こうして、凸形状部により静電気発生部の表面積も広くなると共に、静電気発生部の位置がサイクロン容器の中に深く入り込んでいるため、静電気のより強い吸引力でゴミ、塵埃を留めおき、塵挨と分離された空気はサイクロン筒の側面の形成された通気孔から電動送風機に吸い込まれるので、塵埃に対するダストボックスの補集効率を上げることができる。
【００１３】
本発明の請求項５に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、ダストボックスの下部には静電気発生手段の収納室が設けられ、静電気発生手段は、風車と該風車で駆動される静電気発生部材とから構成され、ゴミ、塵埃の溜まる前記サイクロン容器に、電動送風機の排気の全部または一部を該風車に導く風路が形成され、排気により該風車を回転させ、該静電気発生部材の回転摩擦により前記サイクロン容器の底部に静電気を発生させて帯電させ、その静電気の引力を利用して、前記サイクロン容器内に溜まったゴミ、塵挨を、サイクロン容器内に留めるように構成した。
【００１４】
こうして、電動送風機の排気の全部または一部を隔壁の通気穴を介して風車に導入し、排気により該風車を回転させ、駆動軸で連結されている該静電気発生部材の回転摩擦によりサイクロン容器の底部に静電気を発生させるので、排気を利用して特別な駆動源を必要としない。
【００１５】
本発明の請求項６に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、前記サイクロン筒の下部に傘部を設け、かつサイクロン筒の側面に通気孔を設け、ダストボックスの下部には静電気発生手段の収納室が設けられ、静電気発生手段は、風車と該風車で駆動される静電気発生部材とから構成され、ゴミ、塵埃の溜まる前記サイクロン容器に、電動送風機の排気の全部または一部を該風車に導く風路が形成され、排気により該風車を回転させ、該静電気発生部材の回転摩擦により前記サイクロン容器の底部に静電気を発生させて帯電させ、その静電気の引力を利用して、前記サイクロン容器内に溜まったゴミ、塵挨を、サイクロン容器内に留めるように構成した。
【００１６】
こうして、電動送風機の排気の全部または一部を隔壁の通気穴を介して風車に導入し、排気により該風車を回転させ、駆動軸で連結されている該静電気発生部材の回転摩擦によりサイクロン容器の底部に静電気を発生させるので、排気を利用して特別な駆動源を必要としない。ゴミ、塵埃はサイクロン筒の下部に設けられた傘部により下方に押さえられ、前記のサイクロン容器の底面に発生した静電気によって、より強力に下面に引きつけられるようになり、ダストボックス内に溜まったゴミ、塵埃をダストボックス内に留めることができ、塵埃に対するダストボックスの補集効率を上げることができる。
【００１７】
本発明の請求項７に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、前記サイクロン筒の下部に傘部を設け、かつサイクロン筒の側面に通気孔を設け、前記サイクロン容器の底部の一部を凸形状にし、該凸形状部内に静電気発生部材を挿入し、ダストボックスの下部には静電気発生手段の収納室が設けられ、静電気発生手段は、風車と該風車で駆動される静電気発生部材とから構成され、ゴミ、塵埃の溜まる前記サイクロン容器に、電動送風機の排気の全部または一部を該風車に導く風路が形成され、排気により該風車を回転させ、該静電気発生部材の回転摩擦により前記凸形状部の周囲に静電気を発生させて帯電させ、その静電気の引力を利用して、前記サイクロン容器内に溜まったゴミ、塵挨を、サイクロン容器内に留めるように構成した。
【００１８】
こうして、電動送風機の排気の全部または一部を隔壁の通気穴を介して風車に導入し、排気により該風車を回転させ、駆動軸で連結された該静電気発生部材の回転摩擦によりサイクロン容器の底部に静電気を発生させるので、排気を利用するので特別な駆動源を必要としない。また、凸形状部により静電気発生部の表面積も広くなると共に、静電気発生部の位置がサイクロン容器の中に深く入り込んでいるため、静電気のより強い吸引力でゴミ、塵埃を留めおき、塵挨と分離された空気はサイクロン筒の側面の形成された通気孔から電動送風機に吸い込まれるので、塵埃に対するダストボックスの補集効率を上げることができる。
【００１９】
本発明の請求項８に係る電気掃除機は、本体ケース内にダストボックス、電動送風機収納室を有し、ダストボックスに吸い取った塵挨と空気をサイクロン方式で分離する電気掃除機において、前記ダストボックスにサイクロン容器とサイクロン筒を有し、前記サイクロン筒の下部に傘部を設け、かつサイクロン筒の側面に通気孔を設け、前記サイクロン容器の底部の一部を凸形状にし、該凸形状部内に静電気発生部材を挿入し、ダストボックスの下部には静電気発生手段の収納室が設けられ、前記静電気発生手段は、該凸形状部内に挿入され、本体ケースの前輪の回転で駆動される静電気発生部材から構成され、該前輪の回動による該静電気発生部材の回転摩擦により前記凸形状部の周囲に静電気を発生させて帯電させ、その静電気の引力を利用して、前記サイクロン容器内に溜まったゴミ、塵挨を、サイクロン容器内に留めるように構成した。
【００２０】
こうして、使用者が吸込具を前後左右に操作すると、前輪はキャスタ動作により回動し、連結手段で連結された駆動軸を介して静電気発生部材が回動して摩擦により凸形状部に静電気を発生する。凸形状部により静電気発生部の表面積も広くなると共に、静電気発生部の位置がサイクロン容器の中に深く入り込んでいるため、静電気のより強い吸引力でゴミ、塵埃を留めおき、塵挨と分離された空気はサイクロン筒の側面の形成された通気孔から電動送風機に吸い込まれるので、塵埃に対するダストボックスの補集効率を上げることができる。
【００２１】
本発明の請求項９に係る電気掃除機は、上記請求項１または請求項８に記載の電気掃除機において、前記ダストボックスのサイクロン容器はアクリルまたはスチロールで構成され、前記静電気発生部材は毛皮で構成した。
【発明の効果】
【００２２】
以上のように本発明の電気掃除機は、ゴミ、塵埃の溜まるダストボックスのサイクロン容器の底面に摩擦による静電気を起こして帯電させ、その静電気の物を引き寄せる力を利用して、ダストボックス内に溜まったゴミ、塵埃をダストボックス内に留めようとするという簡単な構成で、塵埃に対するダストボックスの補集効率を上げることができる。
【発明を実施するための最良の形態】
【００２３】
本発明の電気掃除機の実施形態を各実施例に基づいて図面を参照して説明する。図１には本発明の電気掃除機の基本構成の断面図を示す。１は本体ケース、２はダストボックス、３は送風機室、４は電動送風機、５は送風機室の排出口、６は吸込口のホース、７はサイクロン容器、８はサイクロン筒、９はサイクロン容器の底面、１０は静電気発生手段の収納室、１１は電動機、１２は静電気発生部材、１３駆動軸、１４は本体ケースの前輪、１５は本体ケースの後輪である。
【実施例１】
【００２４】
図１において、電気掃除機の掃除使用時には、吸込口体（図示なし）を前後移動操作して清掃面の清掃を行う。この清掃に伴い吸込口体から塵埃が空気と共に吸い込まれる。この空気と共に吸い込まれた塵埃は、延長管，集塵ホース６を介して吸込口に流入する。
【００２５】
この吸込口に流入した塵埃を含む空気は、矢印のように、ダストボックス２のサイクロン容器７内に渦流を形成する。渦流の空気は、サイクロン筒８の塵埃案内口に向けて流れるが、塵埃案内口に到達するに従って流速が減少する一方、サイクロ容器７の中央上部に作用する吸気負圧によって、サイクロン容器７の中央に流れる。
【００２６】
この際、渦流に含まれる塵埃は、質量が空気に比べて遙かに大きいために、渦流と共にサイクロン容器７の底面９にゴミとして捕集され堆積することになる。この様にして大きな塵埃が除去された空気は、サイクロン筒８の内部を通って上方に流れ、吸込風路を介して電動送風機４の遠心ファンに吸い込まれて、電動送風機４のモータ内を冷却した後、排気口５から本体ケース１の外部に排気される。
【００２７】
上述のような動作により、ゴミ、塵埃の捕捉作用が完璧に行なわれたとしたら理想的であるが、実際はサイクロンの旋回流による遠心力だけでは高い分離率が得られないため、塵挨が完全に分離されず電動送風機４側に流入して行くことになる。そこで、ダストボックス２の下部には静電気発生手段の収納室１０を配置して、そこに静電気発生手段を設けて、ゴミ、塵埃の溜まる前記サイクロン容器７の底部９に静電気発生手段により静電気を起こして帯電させる。その静電気の引力を利用して、サイクロン容器７内に溜まったゴミ、塵挨を、サイクロン容器７内に留めるようにした。
【００２８】
ここで、静電気発生手段は任意のものを採用できるが、静電気発生部材の摩擦による静電気発生手段を利用することができる。静電気発生部材としてプラスチックを用いた場合の帯電列は、アクリル−スチロール−ガラス−毛皮−エボナイト−絹−ポリエチレン−塩化ビニルであるので、例えば、アクリルまたはスチロールと毛皮の組合せを採用し、両者を摩擦すれば、樹脂は正に帯電し毛皮は負に帯電することになる。静電気発生部材は他の適当な組合せのものを利用することができる。
【００２９】
図１の実施例においては、ダストボックス２は通常、透明のスチロール製で、そのサイクロン容器７の下面には、静電気発生手段の収納室１０の電動機１１に駆動軸１３で連結された静電気発生部材の毛皮１２が設けられている。電気掃除機が運転されると同時か、または、吸引が始まる数秒前に電動機１１を回転させて、スチロールと毛皮１２の摩擦により、ダストボックス２のサイクロン容器７の底面９に静電気を発生させる。
【００３０】
ホース６から吸引されてきたゴミ、塵挨は、ダストボックス２のサイクロン容器７のサイクロン筒８の周りを旋回し、それ自身の重さで下面に溜まろうとするが、前記のサイクロン容器７の底面９に発生した静電気によって、より強力に下面に引きつけられるようになる。そのため、ゴミ、塵挨は電動送風機４に行きにくくなり、ダストボックス自体の捕集効率が上がる。
【００３１】
こうして、ゴミ、塵埃の溜まるダストボックスのサイクロン容器７の底面９に摩擦による静電気を起こして帯電させ、その静電気の物を引き寄せる力を利用して、ダストボックス２内に溜まったゴミ、塵埃をダストボックス２内に留めようとするという簡単な構成で、塵埃に対するダストボックス２の補集効率を上げることができる。
【実施例２】
【００３２】
次に第２の実施例について、図２を参照して説明する。図２において、図１と同一物には同じ符号を付している。１６はサイクロン筒８の下部に設けられた傘部、１７はサイクロン筒８の側面の形成された通気孔である。
【００３３】
電気掃除機の掃除使用時の動作は、実施例１のものと基本的には同じである。ホース６から吸引されてきたゴミ、塵挨は、ダストボックス２のサイクロン容器７のサイクロン筒８の周りを旋回し、それ自身の重さで下面に溜まろうとし、サイクロン筒８の下部に設けられた傘部１７により下方に押さえられ、前記のサイクロン容器７の底面９に発生した静電気によって、より強力に下面に引きつけられるようになる。サイクロン容器７の上部におけるゴミ、塵挨と分離された空気はサイクロン筒８の側面の形成された通気孔１７から電動送風機４に吸い込まれる。
【００３４】
そのため、ゴミ、塵挨は電動送風機４に行きにくくなり、ダストボックス自体の捕集効率が上がる。こうして、ゴミ、塵埃の溜まるダストボックスのサイクロン容器７の底面９に摩擦による静電気を起こして帯電させ、その静電気の物を引き寄せる力を利用して、ダストボックス２内に溜まったゴミ、塵埃をダストボックス２内に留めることができ、塵埃に対するダストボックス２の補集効率を上げることができる。
【実施例３】
【００３５】
次に第３の実施例について、図３を参照して説明する。図３において、図２と同一物には同じ符号を付している。１８はサイクロン容器７の底部９の一部に形成された凸形状部、１９は該凸形状部１９内に挿入された静電気発生部材１９であり、電動機４に駆動軸１３で連結されている。
【００３６】
電気掃除機の掃除使用時の動作は、実施例２のものと基本的には同じである。この場合は、凸形状部１９により静電気発生部の表面積も広くなると共に、静電気発生部の位置がサイクロン容器７の中に深く入り込んでいるため、静電気のより強い吸引力でゴミ、塵埃を留めおき、塵挨と分離された空気はサイクロン筒８の側面の形成された通気孔１７から電動送風機４に吸い込まれるので、塵埃に対するダストボックス２の補集効率を上げることができる。
【実施例４】
【００３７】
次に第４の実施例について、図４を参照して説明する。図４において、図１と同一物には同じ符号を付している。２０は風車、２１は送風機室３に連通された風路であり、電動送風機４の排気の全部または一部を隔壁の通気穴２２を介して風車２０に導入し、排気により該風車２０を回転させ、駆動軸１３で連結されている該静電気発生部材１２の回転摩擦によりサイクロン容器７の底部９に静電気を発生させる。風車２０を回転させ後の排気は排気口２３から排出される。電気掃除機の掃除使用時の動作は、実施例１のものと基本的には同じであるので、説明は省略する。
【実施例５】
【００３８】
次に第５の実施例について、図５を参照して説明する。図５において、図２および図４のものと同一物には同じ符号を付している。２０は風車、２１は送風機室３に連通された風路であり、電動送風機４の排気の全部または一部を風車２０に導入し、排気により該風車２０を回転させ、駆動軸１３で連結されている該静電気発生部材１２の回転摩擦によりサイクロン容器７の底部９に静電気を発生させる。電気掃除機の掃除使用時の動作は、実施例２のものに実施例４の静電気発生の動作態様を適用したものであり、基本的には同じであるので、説明は省略する。
【実施例６】
【００３９】
次に第６の実施例について、図６を参照して説明する。図６において、図３および図５のものと同一物には同じ符号を付している。静電気発生の動作態様は上記実施例４のものと同じ構成で、かつ同じ発生動作である。電気掃除機の掃除使用時の動作は、図３の実施例３と同様、凸形状部１９により静電気発生部の表面積も広くなると共に、静電気発生部の位置がサイクロン容器７の中に深く入り込んでいるため、静電気のより強い吸引力でゴミ、塵埃を留めおき、塵挨と分離された空気はサイクロン筒８の側面の形成された通気孔１７から電動送風機４に吸い込まれるので、塵埃に対するダストボックス２の補集効率を上げることができる。
【実施例７】
【００４０】
次に第７の実施例について、図７を参照して説明する。図７において、図３のものと同一物には同じ符号を付している。２４はキャスタ動作を行なう前輪１４と駆動軸１３との連結手段である。１８はサイクロン容器７の底部９の一部に形成された凸形状部、１９は該凸形状部１９内に挿入された静電気発生部材１９であり、前輪１４に駆動軸１３で連結されている。
【００４１】
電気掃除機の掃除使用時の動作は、実施例３のものと基本的には同じであるが、使用者が吸込具（図示なし）を前後左右に操作すると、前輪１４はキャスタ動作により回動する。前輪１４が回動すると、連結手段２４で連結された駆動軸１３を介して静電気発生部材１９が回動して摩擦により凸形状部１９に静電気を発生する。
【００４２】
凸形状部１９により静電気発生部の表面積も広くなると共に、静電気発生部の位置がサイクロン容器７の中に深く入り込んでいるため、静電気のより強い吸引力でゴミ、塵埃を留めおき、塵挨と分離された空気はサイクロン筒８の側面の形成された通気孔１７から電動送風機４に吸い込まれるので、塵埃に対するダストボックス２の補集効率を上げることができる。
【産業上の利用可能性】
【００４３】
本発明に用いたゴミ処理手段は全てのサイクロン方式の電気掃除機におけるゴミ処理手段として適用できると共に、通常のダストパック式の電気掃除機にも適用できるものである。
【図面の簡単な説明】
【００４４】
【図１】本発明の電気掃除機の第１の実施形態の断面図。
【図２】本発明の電気掃除機の第２の実施形態の断面図。
【図３】本発明の電気掃除機の第３の実施形態の断面図。
【図４】本発明の電気掃除機の第４の実施形態の断面図。
【図５】本発明の電気掃除機の第５の実施形態の断面図。
【図６】本発明の電気掃除機の第６の実施形態の断面図。
【図７】本発明の電気掃除機の第７の実施形態の断面図。
【符号の説明】
【００４５】
１            電気掃除機の本体ケース
２            ダストボックス
３            送風機室
４            電動送風機
５            排出口
６            吸気ホース
７            サイクロン容器
８            サイクロン筒
９            サイクロン容器の底面
１０          静電気発生手段収納室
１１          電動機
１２，１９    静電気発生部材
１３          駆動軸
１４          前輪
１５          後輪
１６          サイクロン容器の傘部
１７          サイクロン容器の側面通気孔
１８          凸形状部
２０          風車
２１          風路
２２          通気穴
２３          排気口
２４          連結手段
【図１】
2006230819.tif 000003
【図２】
2006230819.tif 000004
【図３】
2006230819.tif 000005
【図４】
2006230819.tif 000006
【図５】
2006230819.tif 000007
【図６】
2006230819.tif 000008
【図７】
2006230819.tif 000009